(57)【要約】【課題】外部電圧の供給が遮断された後再開された場合に各負荷回路間で動作に不整合を生じさせる虞を低減する。【解決手段】電源装置９０に、外部電圧を用いて第１／第２電源電圧を生成する第１／第２電源部９１／９２と、外部電圧の供給／遮断を検知する検知部１２と、容量性負荷１４−１〜ｍを有し第１電源電圧を用いて動作する第１負荷部１４と、第１負荷部１４に蓄電可能な電力より小さい電力を蓄電可能な容量性負荷２４−１〜ｎを有し第２電源電圧を用いて動作する第２負荷部２４と、第１電源電圧を用いて動作し、外部電圧の遮断が検知された時点から第２負荷部２４の容量性負荷に蓄電された電力で第２負荷部２４を動作させることが可能な所定時間が経過したときに、外部電圧の遮断が検知されたままのときは第２負荷部２４をリセットした後、第１負荷部１４をリセットするリセット制御部１３を備える。【選択図】図２
2014217102.tif 000002
【特許請求の範囲】
【請求項１】
外部電圧を用いて所定の第１電源電圧を生成する第１電源部と、
前記外部電圧を用いて前記第１電源電圧よりも小さい第２電源電圧を生成する第２電源部と、
前記外部電圧の供給及び遮断を検知する検知部と、
所定の電力を蓄電可能な容量性負荷を有し、前記第１電源電圧を用いて動作する第１負荷部と、
前記第１負荷部に蓄電可能な電力よりも小さい電力を蓄電可能な容量性負荷を有し、前記第２電源電圧を用いて動作する第２負荷部と、
前記第１電源電圧を用いて動作し、前記検知部によって前記外部電圧の遮断が検知された場合、当該遮断の検知時点から、前記第２負荷部の容量性負荷に蓄電された電力で前記第２負荷部を動作させることが可能な時間として予め定められた第１制限時間が経過したときに、前記検知部によって前記外部電圧の遮断が検知されたままであるときは、前記第２負荷部をリセットした後、前記第１負荷部をリセットするリセット制御部と、
を備える電源装置。
【請求項２】
前記リセット制御部は、前記第２負荷部をリセットした後、前記遮断の検知時点から、前記第１負荷部の容量性負荷に蓄電された電力で前記第１負荷部を動作させることが可能な時間として予め定められた第２制限時間が経過するまでに、前記検知部によって前記供給が検知された場合、前記供給の検知後に、前記第１負荷部をリセットする請求項１に記載の電源装置。
【請求項３】
前記リセット制御部は、前記第２負荷部をリセットした後、前記遮断の検知時点から、前記第１負荷部の容量性負荷に蓄電された電力で前記第１負荷部を動作させることが可能な時間として予め定められた第２制限時間が経過するまでに、前記検知部によって前記供給が検知された場合、前記遮断の検知時点から前記第２制限時間が経過したときに、前記第１負荷部をリセットする請求項２に記載の電源装置。
【請求項４】
前記リセット制御部は、前記第２負荷部をリセットした後、前記検知部によって前記供給が検知されたときに、前記第１負荷部をリセットする請求項２に記載の電源装置。
【請求項５】
前記外部電圧は、交流電圧であり、
前記検知部は、前記交流電圧のゼロクロス点に基づいて前記外部電圧の供給及び遮断を検知する請求項１から４の何れか一項に記載の電源装置。
【請求項６】
請求項１から５の何れか一項に記載の電源装置を備え、
前記第１負荷部には、用紙に画像を形成する画像形成部が含まれる画像形成装置。
【発明の詳細な説明】
【技術分野】
【０００１】
本発明は、外部電圧を用いて複数の電源電圧を生成する電源装置及び当該電源装置を備えた画像形成装置に関し、特に、各電源電圧を用いて動作する複数の負荷部をリセットする技術に関する。
【背景技術】
【０００２】
従来から、例えば下記特許文献１に記載のように、負荷回路へ供給される電流を監視することによって負荷回路の短絡及び／又は断線を検出し、負荷回路の短絡及び／又は断線を検出した際に、負荷回路への電源の供給を遮断する電源装置が知られている。また、複数の負荷回路を備えた電源装置に、商用交流電源等の外部電源から供給される外部電圧を用いてそれぞれ異なる電源電圧を生成する複数の電源部を備えるようにし、負荷回路の動作に必要な電源電圧の大きさに応じて、各負荷回路に電源電圧を供給するための電源部を異ならせる技術が知られている。
【０００３】
このような電源装置において、新興国における外部電源からの不安定な電力供給や、落雷等に起因して、外部電圧の供給が瞬間的に遮断（瞬断）された場合、各電源部は電源電圧を供給することができなくなるので、各負荷回路はそれぞれが有する容量性負荷に蓄電された電力を用いて暫くの間動作した後、動作を停止することになる。このため、蓄電可能な電力量が小さい容量性負荷を有する負荷回路ほど、動作を早く停止することになる。
【先行技術文献】
【特許文献】
【０００４】
【特許文献１】特開平９−７０１３３号公報
【発明の概要】
【発明が解決しようとする課題】
【０００５】
しかし、外部電圧の供給が瞬断されたことによって一部の負荷回路だけが動作を停止している状況で外部電圧の供給が再開された場合、動作を停止していた当該一部の負荷回路は、再び電源電圧が供給されることによって動作を再開することとなり、当該一部の負荷回路は一旦リセットされた状態になるが、当該瞬断時に動作を停止していなかった負荷回路は、瞬断の前後で動作を継続することとなり、リセットされていない。その結果、各負荷回路の間で動作に不整合が生じる虞があった。
【０００６】
本発明は、上記の問題を解決するためになされたもので、外部電圧の供給が遮断された後、外部電圧の供給が再開された場合に、各負荷回路の間で動作に不整合を生じさせる虞を低減することができる電源装置及び当該電源装置を備えた画像形成装置を提供することを目的とする。
【課題を解決するための手段】
【０００７】
本発明による電源装置は、外部電圧を用いて所定の第１電源電圧を生成する第１電源部と、前記外部電圧を用いて前記第１電源電圧よりも小さい第２電源電圧を生成する第２電源部と、前記外部電圧の供給及び遮断を検知する検知部と、所定の電力を蓄電可能な容量性負荷を有し、前記第１電源電圧を用いて動作する第１負荷部と、前記第１負荷部に蓄電可能な電力よりも小さい電力を蓄電可能な容量性負荷を有し、前記第２電源電圧を用いて動作する第２負荷部と、前記第１電源電圧を用いて動作し、前記検知部によって前記外部電圧の遮断が検知された場合、当該遮断の検知時点から、前記第２負荷部の容量性負荷に蓄電された電力で前記第２負荷部を動作させることが可能な時間として予め定められた第１制限時間が経過したときに、前記検知部によって前記外部電圧の遮断が検知されたままであるときは、前記第２負荷部をリセットした後、前記第１負荷部をリセットするリセット制御部と、を備える。
【０００８】
本構成によれば、検知部によって外部電圧の遮断が検知された場合に、当該遮断の検知時点から第１制限時間が経過し、つまり、第２負荷部が容量性負荷に蓄電された電力で動作できなくなったと考えられるときに、検知部によって外部電圧の遮断が検知されたままであるときは、第２負荷部がリセットされた後、第１負荷部がリセットされる。このため、検知部によって外部電圧の遮断が検知された場合には、第１負荷部及び第２負荷部は共にリセットされた状態になっているので、その後、外部電圧の供給が再開された場合に、第１負荷部と第２負荷部との間で動作に不整合が生じる虞を低減することができる。
【０００９】
また、前記リセット制御部は、前記第２負荷部をリセットした後、前記遮断の検知時点から、前記第１負荷部の容量性負荷に蓄電された電力で前記第１負荷部を動作させることが可能な時間として予め定められた第２制限時間が経過するまでに、前記検知部によって前記供給が検知された場合、前記供給の検知後に、前記第１負荷部をリセットすることが好ましい。
【００１０】
第２負荷部をリセットした後、外部電圧の供給の遮断検知時点から第２制限時間が経過するまでに、つまり、第１負荷部が容量性負荷に蓄電された電力で動作していると考えられるときに、検知部によって外部電圧の供給が検知されないまま、第１負荷部をリセットすると、第１負荷部をリセットさせる動作に必要な電力が供給されず、第１負荷部のリセットが正常に行えない虞がある。
【００１１】
しかし、本構成によれば、第２負荷部がリセットされた後、外部電圧の供給の遮断検知時点から第２制限時間が経過するまでに、つまり、第１負荷部が容量性負荷に蓄電された電力で動作していると考えられるときに、外部電圧の供給が検知された場合、外部電圧の供給が検知された後に第１負荷部がリセットされる。このため、外部電圧が供給されることによって第１電源部から第１負荷部に第１電源電圧が供給された状態で、第１負荷部を確実にリセットすることができる。これによって、外部電圧の供給が再開された場合に、第１負荷部及び第２負荷部を共にリセットした状態にして、第１負荷部と第２負荷部との間で動作に不整合が生じる虞を低減することができる。
【００１２】
また、前記リセット制御部は、前記第２負荷部をリセットした後、前記遮断の検知時点から、前記第１負荷部の容量性負荷に蓄電された電力で前記第１負荷部を動作させることが可能な時間として予め定められた第２制限時間が経過するまでに、前記検知部によって前記供給が検知された場合、前記遮断の検知時点から前記第２制限時間が経過したときに、前記第１負荷部をリセットすることが好ましい。
【００１３】
第２負荷部がリセットされた後、外部電圧の遮断が検知された時点から第２制限時間が経過するまでに外部電圧の供給が検知された場合、つまり、第１負荷部が容量性負荷に蓄電された電力で動作していると考えられるときに、外部電圧の供給が検知された場合、外部電圧の遮断が検知された時点から第２制限時間が経過したときには、第１電源部から第１負荷部に第１電源電圧が供給された状態になっている。
【００１４】
つまり、本構成によれば、外部電圧の遮断が検知された時点から第２制限時間が経過したときに第１負荷部がリセットされるので、第１電源部から第１負荷部に第１電源電圧が供給された状態で第１負荷部を確実にリセットすることができる。これによって、外部電圧の供給が再開された場合に、第１負荷部及び第２負荷部を共にリセットした状態にして、第１負荷部と第２負荷部との間で動作に不整合が生じる虞を低減することができる。
【００１５】
または、前記リセット制御部は、前記第２負荷部をリセットした後、前記検知部によって前記供給が検知されたときに、前記第１負荷部をリセットすることが好ましい。
【００１６】
本構成によれば、第２負荷部がリセットされた後、外部電圧の供給が検知されたときに、第１負荷部がリセットされるので、外部電圧の遮断が検知された時点から、第１負荷部が容量性負荷に蓄電された電力で動作できなくなると考えられる時期まで待機することなく、迅速に第１負荷部をリセットすることができる。これによって、外部電圧の供給が再開された場合に、第１負荷部及び第２負荷部を共にリセットした状態にして、第１負荷部と第２負荷部との間で動作に不整合が生じる虞を低減することができる。
【００１７】
また、前記外部電圧は、交流電圧であり、前記検知部は、前記交流電圧のゼロクロス点に基づいて前記外部電圧の供給及び遮断を検知することが好ましい。
【００１８】
この構成によれば、交流電圧のゼロクロス点に基づいて交流電圧の供給及び遮断を検知するという公知技術を用いて、容易に外部電圧の供給及び遮断を検知することができる。
【００１９】
本発明による画像形成装置は、前記電源装置を備え、前記第１負荷部には、用紙に画像を形成する画像形成部が含まれる。
【００２０】
この構成によれば、画像形成装置において、外部電圧の供給が遮断された後、外部電圧の供給が再開された場合に、第１負荷部及び第２負荷部が共にリセットされた状態になっているので、第１負荷部に含まれる画像形成部と第２負荷部との間で動作に不整合が生じる虞を軽減することができる。
【発明の効果】
【００２１】
この発明によれば、外部電圧の供給が遮断された後、外部電圧の供給が再開された場合に、各負荷回路の間で動作に不整合を生じさせる虞を低減することができる電源装置及び当該電源装置を備えた画像形成装置を提供することができる。
【図面の簡単な説明】
【００２２】
【図１】本発明の画像形成装置の一実施形態に係るプリンターの概略構造図である。
【図２】本発明の電源装置の一実施形態に係る電源装置の電気的構成を示すブロック図である。
【図３】リセット制御部が第１負荷部及び第２負荷部をリセットする動作を示すタイミングチャートである。
【発明を実施するための形態】
【００２３】
以下、本発明の画像形成装置の一実施形態に係るプリンター１を図面に基づいて説明する。尚、本実施形態では、画像形成装置としてプリンター１を例に説明するが、画像形成装置は、コピー機、ファクシミリ装置、またこれらの複数の機能を備えた複合機であってもよい。図１は、本発明の画像形成装置の一実施形態に係るプリンター１の概略構造図である。図１に示すように、プリンター１は、画像形成部８０、定着部７０、及び操作部５０を備えている。
【００２４】
画像形成部８０は、感光体ドラム８１、帯電器８２、露光器８３、現像器８４、及び転写ローラー８５を備えている。
【００２５】
感光体ドラム８１は、主走査方向（図１における紙面表裏方向）を長尺とする円筒状の部材であり、不図示のモーターからの駆動力を受けて、図１における時計回りの方向に回転する。帯電器８２は、感光体ドラム８１の表面を略一様に帯電する。
【００２６】
露光器８３は、レーザーダイオード等の光源を備え、帯電器８２によって略一様に帯電された感光体ドラム８１の周面に対して、画像データに応じた光信号を照射して、画像データの静電潜像を形成する。画像データは、例えば、ネットワークを介してプリンター１に接続されたパーソナルコンピューター等の外部装置から送信された画像データを、不図示のネットワークインターフェイス回路を用いて受信することによって取得される。
【００２７】
現像器８４は、トナーを収納するトナーコンテナを備え、現像バイアス電圧を印加することで感光体ドラム８１と現像器８４との間に電位差を生じさせることにより、静電潜像が形成された感光体ドラム８１の表面にトナーを供給してトナー像を形成する。転写ローラー８５は、感光体ドラム８１と対向する位置に配設されている。転写ローラー８５は、感光体ドラム８１に形成されたトナー像を搬送路Ｐに沿って搬送されてきた用紙に転写する。
【００２８】
定着部７０は、ヒーター等を内蔵する定着ローラー７００及び定着ローラー７００と対向する位置に設けられた加圧ローラー７０１を備え、トナー像が形成された用紙を加熱搬送することにより、用紙に形成されたトナー像を定着させる。尚、加圧ローラー７０１は、不図示のモーターからの駆動力を受けて回転し、定着ローラー７００は、加圧ローラー７０１が回転することによって従動回転する。
【００２９】
操作部５０は、情報を表示するための表示部５１と、ユーザーによって各種指示の操作を行わせるための操作キー部５２と、を備えている。表示部５１は、例えばタッチパネル機能を有する液晶ディスプレイ等であり、各種情報を表示する。操作キー部５２は、例えばユーザーが印刷実行指示を入力するためのスタートキーや、印刷部数等を入力するためのテンキー等の各種キーを含む。
【００３０】
次に、画像形成部８０による画像形成動作について簡単に説明する。先ず、帯電器８２により感光体ドラム８１の表面が略均一に帯電される。そして、帯電された感光体ドラム８１の表面が、露光器８３により露光され、用紙に形成する対象の画像の静電潜像が感光体ドラム８１の表面に形成される。この静電潜像が、現像器８４により感光体ドラム８１の表面にトナーを付着させることにより顕画化され、転写ローラー８５により感光体ドラム８１の表面のトナー像が用紙に転写される。この画像形成部８０による画像形成動作が行われた後、定着部７０により、用紙に転写されたトナー像が固着される。
【００３１】
また、プリンター１は、筐体内部に電源装置９０を備えている。図２は、本発明の電源装置の一実施形態に係る電源装置９０の電気的構成を示すブロック図である。
【００３２】
図２に示すように、電源装置９０は、商用交流電源ＡＣと、第１電源部９１と、第２電源部９２と、第１システム部１０と、第２システム部２０と、を備えている。
【００３３】
商用交流電源ＡＣは、商用交流電圧（外部電圧）を第１電源部９１及び第２電源部９２に供給する。
【００３４】
第１電源部９１は、内部に不図示のＡＣ／ＤＣコンバーターを備え、商用交流電源ＡＣから供給される商用交流電圧を用いて、所定の大きさの直流電圧を生成する。以下、第１電源部９１により生成される直流電圧を第１電源電圧Ｖ１と示す。
【００３５】
第２電源部９２は、内部に不図示のＡＣ／ＤＣコンバーターを備え、商用交流電源ＡＣから供給される商用交流電圧を用いて、第１電源電圧Ｖ１よりも小さい直流電圧を生成する。以下、第２電源部９２により生成される直流電圧を第２電源電圧Ｖ２と示す。
【００３６】
第１システム部１０は、第１電源部９１により生成された第１電源電圧Ｖ１の供給を受けて動作する。第１システム部１０は、例えば、所定の演算処理を実行する不図示のＣＰＵ（Ｃｅｎｔｒａｌ  Ｐｒｏｃｅｓｓｉｎｇ  Ｕｎｉｔ）と、所定の制御プログラムが記憶されたＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）等の不図示の不揮発性メモリーと、データを一時的に記憶するための不図示のＲＡＭ（Ｄｙｎａｍｉｃ  Ｒａｎｄｏｍ  Ａｃｃｅｓｓ  Ｍｅｍｏｒｙ）と、これらの周辺回路等とを備えている。また、第１システム部１０は、第１負荷部１４を備えている。第１システム部１０は、不揮発性メモリーに記憶された制御プログラムをＣＰＵにより実行させることによって、検知部１２、リセット制御部１３、及び第１制御部１５を構成する。
【００３７】
第１負荷部１４は、第１制御部１５による制御の下、第１電源部９１から供給される第１電源電圧Ｖ１を用いて動作する複数の負荷である。具体的には、第１負荷部１４に含まれる負荷には、画像形成部８０や表示部５１が含まれる。
【００３８】
また、第１負荷部１４は、第１負荷部１４に含まれる複数の負荷の動作を制御する制御回路に含まれた複数の容量性負荷１４−１〜１４−ｍを備えている。具体的には、複数の容量性負荷１４−１〜１４−ｍには、例えば、感光体ドラム８１の回転動作、帯電器８２による帯電動作、露光器８３による光信号を照射する動作、現像器８４に現像バイアス電圧を印加させる動作、及び、転写ローラー８５の回転動作等の画像形成部８０の動作、及び、表示部５１に情報を表示させる動作を制御する制御回路に含まれる、コンデンサー等の所定の電力を蓄電可能な容量性負荷が含まれる。
【００３９】
検知部１２は、第１電源部９１に入力される商用交流電圧を監視し、商用交流電圧のゼロクロス点に基づいて商用交流電圧の供給及び遮断を検知する。具体的には、検知部１２は、商用交流電圧のゼロクロス点を、商用交流電圧の所定の周期の２分の１の期間内に検知できなかったときに、商用交流電圧の遮断を示す検知信号を第１リセット制御部１３へ出力する。一方、検知部１２は、商用交流電圧のゼロクロス点が商用交流電圧の所定の周期の２分の１の期間内に検知できる間は、商用交流電圧の供給を示す検知信号を第１リセット制御部１３へ出力する。
【００４０】
リセット制御部１３は、検知部１２から入力された商用交流電圧の遮断を示す検知信号に基づいて、第１負荷部１４をリセットさせる指示を示すリセット信号Ｒ１を第１制御部１５へ出力し、また、後述の第２負荷部２４をリセットさせる指示を示すリセット信号Ｒ２を後述の第２制御部２５へ出力する。尚、リセット信号Ｒ１及びリセット信号Ｒ２の詳細は後述する。また、リセット制御部１３が、リセット信号Ｒ１及びリセット信号Ｒ２を出力する動作の詳細は後述する。
【００４１】
第１制御部１５は、第１負荷部１４に含まれる各負荷の動作を制御する制御回路を統括制御する。例えば、第１制御部１５は、画像形成部８０の動作を制御する制御回路及び表示部５１の動作を制御する制御回路を制御して、表示部５１に各種情報を表示させた後、画像形成部８０に画像形成動作を実行させる。
【００４２】
また、第１制御部１５は、第１リセット制御部１３からリセット信号Ｒ１が入力されると、第１負荷部１４をリセットする。ここで、第１負荷部１４をリセットするとは、第１負荷部１４に含まれる各負荷の動作を制御する制御回路の状態を、第１電源電圧Ｖ１が供給された当初の初期状態に戻すことを示す。例えば、第１制御部１５は、第１負荷部１４をリセットする場合、画像形成部８０に画像形成動作を行わせるための制御プログラムを不揮発性メモリーから読み出して、画像形成部８０の動作を制御する制御回路に備えられたＲＡＭに記憶する。
【００４３】
第２システム部２０は、第２電源部９２により生成された第２電源電圧Ｖ２の供給を受けて動作する。第２システム部２０は、例えば、所定の演算処理を実行する不図示のＣＰＵ（Ｃｅｎｔｒａｌ  Ｐｒｏｃｅｓｓｉｎｇ  Ｕｎｉｔ）と、所定の制御プログラムが記憶されたＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）等の不図示の不揮発性メモリーと、データを一時的に記憶するための不図示のＲＡＭ（Ｄｙｎａｍｉｃ  Ｒａｎｄｏｍ  Ａｃｃｅｓｓ  Ｍｅｍｏｒｙ）と、これらの周辺回路等とを備えている。また、第２システム部２０は、第２負荷部２４を備えている。第２システム部２０は、不揮発性メモリーに記憶された制御プログラムをＣＰＵにより実行させることによって、第２制御部２５を構成する。
【００４４】
第２負荷部２４は、第２制御部２５による制御の下、第２電源部９２から供給される第２電源電圧Ｖ２を用いて動作する複数の負荷である。具体的には、第２負荷部２４に含まれる負荷には、操作キー部５２や不図示のネットワークインターフェイス回路が含まれる。
【００４５】
また、第２負荷部２４は、第２負荷部２４に含まれる複数の負荷の動作を制御する制御回路に含まれた複数の容量性負荷２４−１〜２４−ｎを備えている。具体的には、複数の容量性負荷２４−１〜２４−ｎには、例えば、ユーザーにより行われた操作キー部５２の操作指示の受け付け動作や、不図示のネットワークインターフェイス回路によって画像データを受信する動作を制御する制御回路に含まれる、コンデンサー等の所定の電力を蓄電可能な容量性負荷が含まれる。尚、第１負荷部１４に含まれる画像形成部８０等の負荷に比して、第２負荷部２４に含まれる操作キー部５２等の負荷は小さな電力で動作可能であるので、容量性負荷２４−１〜２４−ｎに蓄電可能な電力は、第１負荷部１４に備えられた容量性負荷１４−１〜１４−ｍに蓄電可能な電力よりも小さく構成されている。
【００４６】
第２制御部２５は、第２負荷部２４に含まれる各負荷の動作を制御する制御回路を統括制御する。例えば、第２制御部２５は、操作キー部５２の動作を制御する制御回路及び不図示のネットワークインターフェイス回路の動作を制御する制御回路を制御して、ユーザーにより行われた画像データを外部のコンピューターに送信するための操作キー部５２の操作指示を受け付けた後、ネットワークインターフェイス回路によって画像データを外部のコンピューターに送信させる。
【００４７】
また、第２制御部２５は、第１リセット制御部１３からリセット信号Ｒ２が入力されると、第２負荷部２４をリセットする。ここで、第２負荷部２４をリセットするとは、第２負荷部２４に含まれる各負荷の動作を制御する制御回路の状態を、第２電源電圧Ｖ２が供給された当初の初期状態に戻すことを示す。例えば、第２制御部２５は、第２負荷部２４をリセットする場合、ネットワークインターフェイス回路に画像データの受信動作を行わせるための制御プログラムを不揮発性メモリーから読み出して、ネットワークインターフェイス回路の動作を制御する制御回路に備えられたＲＡＭに記憶する。
【００４８】
図３は、リセット制御部１３が第１負荷部２４及び第２負荷部２４をリセットする動作を示すタイミングチャートである。
【００４９】
図３に示すように、検知部１２は、商用交流電源ＡＣ（図２）から供給される商用交流電圧の所定の周期Ｔａｃの２分の１の期間（Ｔａｃ／２）内に、商用交流電圧のゼロクロス点が検知されなくなると、商用交流電圧の遮断を示す検知信号をリセット制御部１３へ出力する。
【００５０】
検知部１２によって商用交流電圧の遮断を示す検知信号が出力された時点Ｔｓになると、第１電源部９１において第１電源電圧Ｖ１が生成されなくなり、また、第２電源部９２において第２電源電圧Ｖ２が生成されなくなる。これによって、第１負荷部１４は、容量性負荷１４−１〜１４−ｍに蓄電された電力を用いて動作するようになり、第２負荷部２４は、容量性負荷２４−１〜２４−ｎに蓄電された電力を用いて動作するようになる。
【００５１】
リセット制御部１３は、検知部１２から商用交流電圧の遮断を示す検知信号が入力された時点Ｔｓから、予め定められた第１制限時間Ｔ１の間、リセット信号Ｒ１及びリセット信号Ｒ２をハイ（Ｈｉ）レベルにしたまま待機する。
【００５２】
尚、第１制御部１５は、リセット信号Ｒ１がハイレベルの間、第１負荷部１４をリセットせず、第１負荷部１４の動作を継続させ、リセット信号Ｒ１がロー（Ｌｏ）レベルに切り替わると第１負荷部１４をリセットし、リセット信号Ｒ１がローレベルの間、第１負荷部１４をリセットされた状態のまま維持する。同様に、第２制御部２５は、リセット信号Ｒ２がハイレベルの間、第２負荷部２４をリセットせず、第２負荷部２４の動作を継続させ、リセット信号Ｒ２がロー（Ｌｏ）レベルに切り替わると第２負荷部２４をリセットし、リセット信号Ｒ２がローレベルの間、第２負荷部１４をリセットされた状態のまま維持する。
【００５３】
ここで、第１制限時間Ｔ１は、試験運転等の実験値に基づいて予め定められている。具体的には、第２負荷部２４は、検知部１２から商用交流電圧の遮断を示す検知信号が入力された時点Ｔｓから、容量性負荷２４−１〜２４−ｎに蓄電された電力を用いて、暫くの間動作する。しかし、容量性負荷２４−１〜２４−ｎに蓄電された電力によって供給される電圧が第２負荷部２４の動作に必要な電圧Ｖｄ２に達したときには、第２負荷部２４は動作できなくなる。このように、検知部１２から商用交流電圧の遮断を示す検知信号が入力された時点Ｔｓから、容量性負荷２４−１〜２４−ｎに蓄電された電力を用いて第２負荷部２４を動作させることができなくなるまでの期間が、第１制限時間Ｔ１として予め定められている。
【００５４】
リセット制御部１３は、検知部１２から商用交流電圧の遮断を示す検知信号が入力された時点Ｔｓから第１制限時間Ｔ１が経過したとき、検知部１２から商用交流電圧の遮断を示す検知信号が入力されたままであるときは、ローレベルのリセット信号Ｒ２を第２制御部２５へ出力する。これによって、第２制御部２５は、第２負荷部２４をリセットする。
【００５５】
特に本実施形態では、商用交流電圧の瞬断を想定しているので、検知部１２から商用交流電圧の遮断を示す検知信号が入力された時点Ｔｓから第１制限時間Ｔ１が経過するまでの間に、検知部１２から商用交流電圧の供給を示す検知信号が入力される場合がある。しかし、この場合、第２負荷部２４は容量性負荷２４−１〜２４−ｎに蓄電された電力を用いて動作可能であるので、第２負荷部２４をリセットする必要はない。そこで、本実施形態では、リセット制御部１３は、検知部１２から商用交流電圧の遮断を示す検知信号が入力されたままの状態で、検知部１２から商用交流電圧の遮断を示す検知信号が入力された時点Ｔｓから第１制限時間Ｔ１が経過するのを待ってから、第２負荷部２４をリセットしている。
【００５６】
その後、検知部１２は、商用交流電源ＡＣ（図２）から供給される商用交流電圧の所定の周期Ｔａｃの２分の１の期間（Ｔａｃ／２）内に、商用交流電圧のゼロクロス点が検知されるようになると、商用交流電圧の供給を示す検知信号をリセット制御部１３へ出力する。
【００５７】
検知部１２によって商用交流電圧の供給を示す検知信号が出力された時点Ｔｒになると、第１電源部９１から第１システム部１０への第１電源電圧Ｖ１の供給が再開され、また、第２電源部９２から第２システム部２０への第２電源電圧Ｖ２の供給が再開される。これによって、第１負荷部１４の動作に用いられる電圧と第２負荷部２４の動作に用いられる電圧が再び上昇するようになる。
【００５８】
リセット制御部１３は、検知部１２から商用交流電圧の遮断を示す検知信号が入力された時点Ｔｓから予め定められた第２制限時間Ｔ２が経過すると、ローレベルのリセット信号Ｒ１を第１制御部１５へ出力する。これによって、第１制御部１５は、第１負荷部１４をリセットする。
【００５９】
ここで、第２制限時間Ｔ２は、試験運転等の実験値に基づいて予め定められている。具体的には、第１負荷部１４は、検知部１２から商用交流電圧の遮断を示す検知信号が入力された時点Ｔｓから、容量性負荷１４−１〜１４−ｍに蓄電された電力を用いて、つまり、第２負荷部２４の容量性負荷２４−１〜２４−ｎに蓄電された電力よりも大きい電力を用いて、第１制限時間Ｔ１よりも長い間動作する。しかし、容量性負荷１４−１〜１４−ｍに蓄電された電力によって供給される電圧が第１負荷部１４の動作に必要な電圧Ｖｄ１に達したときには、第１負荷部１４は動作できなくなる。このように、検知部１２から商用交流電圧の遮断を示す検知信号が入力された時点Ｔｓから、容量性負荷１４−１〜１４−ｍに蓄電された電力を用いて第１負荷部１４を動作させることができなくなるまでの期間が、第２制限時間Ｔ２として予め定められている。
【００６０】
また、リセット制御部１３は、検知部１２から商用交流電圧の遮断を示す検知信号が入力された時点Ｔｓから第２制限時間Ｔ２が経過すると、第２負荷部２４の動作を再開させるべく、ハイレベルのリセット信号Ｒ２を第２制御部２５へ出力する。これによって、第２制御部２５は、第２負荷部２４の動作を再開させる。
【００６１】
また、リセット制御部１３は、検知部１２から商用交流電圧の遮断を示す検知信号が入力された時点Ｔｓから第２制限時間Ｔ２が経過した時点から、第１負荷部１４をリセットさせるのに要する時間として予め定められた期間Ｔ３が経過すると、ハイレベルのリセット信号Ｒ１を第１制御部１５に送出する。これによって、第１制御部１５は、第１負荷部１４の動作を再開させる。
【００６２】
上記実施形態の構成によれば、検知部１２によって商用交流電圧の遮断が検知された場合に、当該遮断の検知時点から第１制限時間Ｔ１が経過し、つまり、第２負荷部２４が容量性負荷２４−１〜２４−ｎに蓄電された電力で動作できなくなったと考えられるときに、検知部１２によって商用交流電圧の遮断が検知されたままであるときは、第２負荷部２４がリセットされた後、第１負荷部１４がリセットされる。このため、検知部１２によって商用交流電圧の遮断が検知された場合には、第１負荷部１４及び第２負荷部２４は共にリセットされた状態になっているので、その後、商用交流電圧の供給が再開された場合に、第１負荷部１４と第２負荷部２４との間で動作に不整合が生じる虞を低減することができる。
【００６３】
また、第２負荷部２４をリセットした後、商用交流電圧の供給の遮断検知時点Ｔｓから第２制限時間Ｔ２が経過するまでに、つまり、第１負荷部１４が容量性負荷１４−１〜１４−ｍに蓄電された電力で動作していると考えられるときに、検知部１２によって商用交流電圧の供給が検知されないまま、第１負荷部１４をリセットすると、第１負荷部１４をリセットさせる動作に必要な電力が供給されず、第１負荷部１４のリセットが正常に行えない虞がある。
【００６４】
しかし、上記実施形態の構成によれば、第２負荷部２４がリセットされた後、商用交流電圧の供給の遮断検知時点Ｔｓから第２制限時間Ｔ２が経過するまでに、つまり、第１負荷部１４が容量性負荷１４−１〜１４−ｍに蓄電された電力で動作していると考えられるときに、商用交流電圧の供給が検知された場合、商用交流電圧の供給が検知された後に第１負荷部１４がリセットされる。このため、商用交流電圧が供給されることによって第１電源部９１から第１負荷部１４に第１電源電圧Ｖ１が供給された状態で、第１負荷部１４を確実にリセットすることができる。これによって、商用交流電圧の供給が再開された場合に、第１負荷部１４及び第２負荷部２４を共にリセットした状態にして、第１負荷部１４と第２負荷部２４との間で動作に不整合が生じる虞を低減することができる。
【００６５】
また、第２負荷部２４がリセットされた後、商用交流電圧の遮断が検知された時点Ｔｓから第２制限時間Ｔ２が経過するまでに商用交流電圧の供給が検知された場合、つまり、第１負荷部１４が容量性負荷１４−１〜１４−ｍに蓄電された電力で動作していると考えられるときに、商用交流電圧の供給が検知された場合、商用交流電圧の遮断が検知された時点Ｔｓから第２制限時間Ｔ２が経過したときには、第１電源部９１から第１負荷部１４に第１電源電圧Ｖ１が供給された状態になっている。
【００６６】
つまり、上記実施形態の構成によれば、商用交流電圧の遮断が検知された時点Ｔｓから第２制限時間Ｔ２が経過したときに第１負荷部１４がリセットされるので、第１電源部９１から第１負荷部１４に第１電源電圧Ｖ１が供給された状態で第１負荷部１４を確実にリセットすることができる。これによって、商用交流電圧の供給が再開された場合に、第１負荷部１４及び第２負荷部２４を共にリセットした状態にして、第１負荷部１４と第２負荷部２４との間で動作に不整合が生じる虞を低減することができる。
【００６７】
また、商用交流電圧の供給が遮断された後、商用交流電圧の供給が再開された場合に、第１負荷部１４及び第２負荷部２４が共にリセットされた状態になっているので、第１負荷部１４に含まれる画像形成部８０と第２負荷部２４との間で動作に不整合が生じる虞を軽減することができる。
【００６８】
尚、上記実施形態において図１乃至図３に示した構成は単なる一例に過ぎず、本発明を当該実施形態に限定する趣旨ではない。
【００６９】
例えば、上記実施形態では、リセット制御部１３は、検知部１２から商用交流電圧の遮断を示す検知信号が入力された時点Ｔｓから第１制限時間Ｔ１が経過したときに、検知部１２によって商用交流電圧の遮断が検知されたままであるときは、第２負荷部２４をリセットした後、当該検知信号が入力された時点Ｔｓから第２制限時間Ｔ２が経過したときに、第１負荷部１４をリセットしていた。
【００７０】
しかし、これに替えて、リセット制御部１３は、検知部１２から商用交流電圧の遮断を示す検知信号が入力された時点Ｔｓから第１制限時間Ｔ１が経過したときに、検知部１２によって商用交流電圧の遮断が検知されたままであるときは、第２負荷部２４をリセットした後、検知部１２から商用交流電圧の供給を示す検知信号が入力された時点Ｔｒ（図３）で、ローレベルのリセット信号Ｒ１を第１制御部１５に出力して、第１負荷部１４をリセットするように構成してもよい。そして、これに合わせて、リセット制御部１３は、検知部１２から商用交流電圧の供給を示す検知信号が入力された時点Ｔｒ（図３）で、第２負荷部２４の動作を再開させるべく、ハイレベルのリセット信号Ｒ２を第２制御部２５へ出力するようにしてもよい。
【００７１】
この場合、第２負荷部２４がリセットされた後、商用交流電圧の供給が検知されたときに、第１負荷部１４がリセットされるので、商用交流電圧の遮断が検知された時点Ｔｓから、第１負荷部１４が容量性負荷１４−１〜１４−ｍに蓄電された電力で動作できなくなると考えられる時期まで待機することなく、迅速に第１負荷部１４をリセットすることができる。これによって、商用交流電圧の供給が再開された場合に、第１負荷部１４及び第２負荷部２４を共にリセットした状態にして、第１負荷部１４と第２負荷部２４との間で動作に不整合が生じる虞を低減することができる。
【００７２】
または、リセット制御部１３は、検知部１２から商用交流電圧の供給を示す検知信号が入力された時点Ｔｒ（図３）で、ローレベルのリセット信号Ｒ１を第１制御部１５に出力せず、当該時点Ｔｒから、商用交流電圧の遮断が検知された時点Ｔｓから第２制限時間Ｔ２が経過した時点まで、の期間内の何れかのタイミングで、ローレベルのリセット信号Ｒ１を第１制御部１５に出力して、第１負荷部１４をリセットし、第２負荷部２４の動作を再開させるべく、ハイレベルのリセット信号Ｒ２を第２制御部２５へ出力するようにしてもよい。
【００７３】
尚、商用交流電圧の遮断が検知された時点Ｔｓから第２制限時間Ｔ２が経過した時点以降も、商用交流電圧の遮断が検知され続けた場合、第１負荷部１４及び第２負荷部２４は共に動作しなくなるので、その後、商用交流電圧の供給が再開された場合には、第１負荷部１４及び第２負荷部２４は共にリセットされた状態になる。その結果、第１負荷部１４及び第２負荷部２４の動作に不整合が生じる虞が低減される。
【００７４】
また、上記実施形態では、検知部１２は、商用交流電圧のゼロクロス点に基づいて商用交流電圧の供給及び遮断を検知していた。しかし、これに限らず、検知部１２は、例えば、商用交流電圧の電圧レベルを監視し、電圧レベルが所定期間内に所定のレベル変動しなかった場合に、商用交流電圧の遮断を示す検知信号を出力し、電圧レベルが所定期間内に所定のレベル以上変動する間は、商用交流電圧の供給を示す検知信号を出力するように構成してもよい。
【００７５】
また、第１電源部９１及び第２電源部９２に供給される電圧は、プリンター１外部の電源装置から供給される直流電圧であってもよい。これに合わせて、第１電源部９１は、供給された直流電圧を第１電源電圧Ｖ１に変換するＤＣ／ＤＣコンバーターを備えるように構成してもよい。同様に、第２電源部９２は、供給された直流電圧を第２電源電圧Ｖ２に変換するＤＣ／ＤＣコンバーターを備えるように構成してもよい。
【符号の説明】
【００７６】
１  プリンター（画像形成装置）
１０  第１システム部
１２  検知部
１３  リセット制御部
１４  第１負荷部
１４−１〜１４−ｍ  第１負荷部の容量性負荷
１５  第１制御部
２０  第２システム部
２４  第２負荷部
２４−１〜２４−ｎ  第２負荷部の容量性負荷
２５  第２制御部
５０  操作部
５１  表示部
５２  操作キー部
８０  画像形成部
９０  電源装置
９１  第１電源部
９２  第２電源部
ＡＣ  商用交流電源
Ｒ１  リセット信号
Ｒ２  リセット信号
Ｔ１  第１制限時間
Ｔ２  第２制限時間
Ｖ１  第１電源電圧
Ｖ２  第２電源電圧
【図１】
2014217102.tif 000003
【図２】
2014217102.tif 000004
【図３】
2014217102.tif 000005